(57)【要約】【課題】別体の部材を必要とせず、また携帯の際に邪魔にならない構造で、立て置く際の支持を行うことができる携帯端末装置を提供することである。【解決手段】携帯端末装置において、ストラップ（不図示）を取り付ける部材であって、筐体２よりも突出した状態と突出しない状態とをとり得るストラップ部材６を備えたことを特徴とする。【選択図】図６
2011023921.tif 000002
【特許請求の範囲】
【請求項１】
ストラップを取り付ける部材であって、筐体よりも突出した状態と突出しない状態とをとり得るストラップ部材を備えたことを特徴とする携帯端末装置。
【請求項２】
前記ストラップ部材が前記ストラップの紐を通す孔を有することを特徴とする請求項１に記載の携帯端末装置。
【請求項３】
前記ストラップ部材が前記筐体よりも突出した状態が、前記ストラップ部材が前記筐体に設けられた切欠部内に収納された状態であることを特徴とする請求項２に記載の携帯端末装置。
【請求項４】
前記ストラップ部材が、前記切欠部内の軸部を回転軸にして回動自在に設けられていることを特徴とする請求項３に記載の携帯端末装置。
【請求項５】
前記切欠部が、前記ストラップ部材が該切欠部内に収納されたとき、該ストラップ部材の前記孔に通した前記ストラップの紐を許容する大きさであることを特徴とする請求項３または４に記載の携帯端末装置。
【請求項６】
前記ストラップ部材が、前記筐体よりも突出した状態と突出しない状態との間の任意の位置で停止可能であることを特徴とする請求項１乃至５のうちのいずれか１項に記載の携帯端末装置。
【請求項７】
前記ストラップ部材を、前記筐体よりも突出しない状態に固定する位置固定手段を備えたことを特徴とする請求項１乃至６のうちのいずれか１項に記載の携帯端末装置。
【発明の詳細な説明】
【技術分野】
【０００１】
本発明は携帯端末装置に関し、特に、机上に立て置くことが可能な携帯端末装置に関する。
【背景技術】
【０００２】
最近では、ワンセグ機能を搭載した携帯電話機が提供されるなど、携帯電話機を手で持たずにたとえば机上に立て置いて使用する用途が広がっている。このような携帯電話機等の携帯端末装置を立て置く際には、倒れずに安定して立て置くことができることが望ましい。
【０００３】
特許文献１にはスタンド付き無線機が開示されているが、この無線機では、無線機の側面に設けたストラップ取り付け部に、ストラップを有するスタンドを取り付けておき、無線機を立て置く際には、このスタンドを無線機の裏面の凹部に差し込み、無線機の底辺とこのスタンドとで無線機を支えるようにしている。
【先行技術文献】
【特許文献】
【０００４】
【特許文献１】特開平５−２１９１６６号公報
【発明の概要】
【発明が解決しようとする課題】
【０００５】
しかしながら、上述の従来例では以下のような問題があった。
【０００６】
すなわち、特許文献１に記載の発明では、無線機と別部材のスタンドを、ストラップを介して無線機のストラップ取り付け部に取り付けて常時携帯しなければならず、無線機と別体のスタンドを携帯する煩わしさがあった。
【０００７】
本発明は上記の点にかんがみてなされたもので、別体の部材を必要とせず、また携帯の際に邪魔にならない構造で、立て置く際の支持を行うことができる携帯端末装置を提供することを目的とする。
【課題を解決するための手段】
【０００８】
上記課題を解決するにあたり、本発明は、携帯端末装置において、ストラップを取り付ける部材であって、筐体よりも突出した状態と突出しない状態とをとり得るストラップ部材を備えたことを特徴とする。
【０００９】
また本発明は、前記ストラップ部材が前記ストラップの紐を通す孔を有することを特徴とする。
【００１０】
また本発明は、前記ストラップ部材が前記筐体よりも突出した状態が、前記ストラップ部材が前記筐体に設けられた切欠部内に収納された状態であることを特徴とする。
【００１１】
また本発明は、前記ストラップ部材が、前記切欠部内の軸部を回転軸にして回動自在に設けられていることを特徴とする。
【００１２】
また本発明は、前記切欠部が、前記ストラップ部材が該切欠部内に収納されたとき、該ストラップ部材の前記孔に通した前記ストラップの紐を許容する大きさであることを特徴とする。
【００１３】
また本発明は、前記ストラップ部材が、前記筐体よりも突出した状態と突出しない状態との間の任意の位置で停止可能であることを特徴とする。
【００１４】
また本発明は、前記ストラップ部材を、前記筐体よりも突出しない状態に固定する位置固定手段を備えたことを特徴とする。
【発明の効果】
【００１５】
本発明によれば、ストラップ部材によって筐体を支持することができるので、別体の部材を必要とせず、また携帯の際に邪魔にならない構造で、立て置く際の支持を行うことができる携帯端末装置を提供することができる。
【図面の簡単な説明】
【００１６】
【図１】ストラップ取り付け部を有する携帯端末装置の一例を示す斜視図である。
【図２】本発明の一実施形態による携帯端末装置を示す斜視図であり、（ａ）は裏面を上にして示す斜視図であり、（ｂ）は表面を上にして示す斜視図である。
【図３】ストラップ部材６を、軸部６ｂを回転軸にして回動させて寝かせた状態を示す斜視図である。
【図４】図２（ａ）のＡ−Ａ断面図である。
【図５】図３のＢ−Ｂ断面図である。
【図６】ストラップ部材６を図２（ａ）および図４に示した状態にし、ストラップ部材６の先端部と筐体２の側辺とによって携帯端末装置１を支持し、携帯端末装置１を机上に立て置いた状態を示す側面図である。
【図７】図３に示した携帯端末装置１とは別の実施形態を示す斜視図である。
【図８】図３に示した携帯端末装置１や図７に示した携帯端末装置１０とは別の実施形態を示す側面図である。
【発明を実施するための形態】
【００１７】
以下、本発明の実施の形態について図面を参照して詳細に説明する。
【００１８】
図１は、ストラップ取り付け部を有する携帯端末装置の一例を示す斜視図である。
【００１９】
図１に示す携帯端末装置１００は、筐体１０２の裏面１０２ｂに電池カバー１０３を有し、さらに、アンテナ１０４を備えている。
【００２０】
また筐体１０２の角には孔からなるストラップ取り付け部１０５が設けられ、図示しないストラップを取り付け可能にしてある。このストラップを取り付ける際には、このストラップ取り付け部１０５の孔に、ストラップの紐の先端の輪を通し、その後、ストラップの紐の先端の輪にストラップの後端を通すようにする。
【００２１】
上述したように、従来、携帯端末装置を立て置くためには、別体の部材を必要とするという問題があり、また、携帯端末装置のデザインが悪くなる虞があった。そこで、本発明者は携帯端末装置のストラップ取り付け部に着目し、本発明によってこれらの問題を解消した。以下、この本発明の一実施形態について図面を参照しながら説明する。
【００２２】
図２は、本発明の一実施形態による携帯端末装置を示す斜視図であり、（ａ）は裏面を上にして示す斜視図であり、（ｂ）は表面を上にして示す斜視図である。
【００２３】
本実施形態の携帯端末装置１は、筐体２の裏面２ｂに電池カバー３を有し、さらに、アンテナ４を備えている。
【００２４】
また本実施形態では、筐体２の側面と裏面とに亘る角部には切欠部５が設けられ、この切欠部５と、切欠部５に収納されるストラップ部材６とでストラップ取り付け部を構成する。
【００２５】
筐体２の表面２ａには、ＬＣＤなどによってワンセグ映像を映すなど、操作者に対して情報表示を行う表示部２ｃや、操作者が操作入力を行う操作部２ｄが設けられている。
【００２６】
ストラップ部材６は、切欠部５内に、後述の軸部６ｂを回転軸にして回動自在に設けられており、図２（ａ）は、ストラップ部材６を、軸部６ｂを回転軸にして回動させて起こした状態を示している。一方、ストラップ部材６を、軸部６ｂを回転軸にして回動させて寝かせた状態を図３に示す。さらに、図２（ａ）のＡ−Ａ断面図を図４に示し、図３のＢ−Ｂ断面図を図５に示す。なお、各断面図において、筐体２の内部の構成の断面表示については、基板等の各構成を省略してハッチングを付して表示している。
【００２７】
図２（ａ）および図４を参照して分かるように、ストラップ部材６を、軸部６ｂを回転軸にして回動させて起こすと、孔６ａを有するストラップ部材６の先端部が、裏面２ｂから突出する。このときストラップ部材６の腹部は切欠部５の壁部５ａに当接してストラップ部材６は位置固定される。
【００２８】
図３および図５を参照して分かるように、ストラップ部材６を、軸部６ｂを回転軸にして回動させて寝かすと、ストラップ部材６の全体が切欠部５内に収納され、裏面２ｂから突出することなく、筐体２から突出する部分はなくなる。
【００２９】
本実施形態の携帯端末装置１にストラップ（図示せず）を取り付ける際には、ストラップ部材６の孔６ａに、ストラップの紐の先端の輪を通し、その後、ストラップの紐の先端の輪にストラップの後端を通すようにする。
【００３０】
本実施形態の携帯端末装置１によれば、ストラップ部材６を図２（ａ）および図４に示した状態にすることにより、裏面２ｂから突出したストラップ部材６の先端部と筐体２の側辺とによって携帯端末装置１を支持し、携帯端末装置１を安定して立て置くことを可能にする。
【００３１】
すなわち、本実施形態の携帯端末装置１によれば、ストラップ部材６を回転、起立させることで、机上におく際、テレビ視聴時等画面を見やすい角度に簡単に立たせることができる構造を提供することができる。図６は、ストラップ部材６を図２（ａ）および図４に示した状態にし、ストラップ部材６の先端部と筐体２の側辺とによって携帯端末装置１を支持し、携帯端末装置１を机上に立て置いた状態を示す側面図である。
【００３２】
なお、図２（ａ）および図４に示した状態では、ストラップ部材６を９０度回転した位置で使用するようにしているが、本発明はこれに限られるものではなく、携帯端末装置１を支持して立て置くことができれば、いかなる角度（９０度以上あるいは以下）であってもかまわない。
【００３３】
また、携帯端末装置１を机上に立て置く必要がないときには、ストラップ部材６を図３および図５に示した状態にすることにより、筐体２から突出した部分はなくなり、携帯する際の邪魔とならず、またデザイン上も自由度が高まり、よいデザインを採用することができる。
【００３４】
ストラップ部材６は、携帯端末装置１を立て置いて使用するときにだけ、図２（ａ）および図４に示したように回動させて起こし、使用しないときには図３および図５に示したように回動させて寝かせ、切欠部５内に完全に収納するようにしてもよい。
【００３５】
ストラップ部材６の孔６ａには、上述のようにストラップ（図示せず）を取り付けることが可能であり、操作者がこの取り付けたストラップだけを握り、携帯端末装置１を振り回したとしても、ストラップ部材６が回動することはあっても他の部材に何ら影響は与えない。
【００３６】
また、ストラップ部材６の孔６ａにストラップ（図示せず）を取り付けた状態、および、孔６ａからストラップ（図示せず）を取り外した状態のどちらの状態であっても、ストラップ部材６を図２（ａ）および図４に示したように回動させて起こし、携帯端末装置１を立て置いて使用することができるし、ストラップ部材６を図３および図５に示したように回動させて寝かせ、切欠部５内に完全に収納することもできる。
【００３７】
本実施形態では、携帯端末装置１とは別体の部材を何ら必要とせずに、携帯端末装置１の安定した立て置き使用を可能としている。
【００３８】
なお、上述の図２（ａ）および図３に示した切欠部５はその幅をストラップ部材６より少し大きい程度にしているが、本発明はこれに限られるものではない。切欠部の形状の別の例を、図７を参照して以下に説明する。
【００３９】
図７は、図３に示した携帯端末装置１とは別の実施形態を示す斜視図である。
【００４０】
図７に示す携帯端末装置１０では、ストラップ（図示せず）を取り付けるストラップ部材１６の孔１６ａの周辺を、図３に示した切欠部５よりも大きく開口させた切欠部１５を有する。このようにすることによって、ストラップの紐が太くなったとしても、その紐を孔１６ａに通したままで、ストラップ部材１６を切欠部１５内に完全に収納することができる。すなわち、切欠部１５はストラップの紐を許容する大きさであり、切欠部１５の側壁にストラップの紐が引っ掛からず、ストラップが取り付けられたストラップ部材１６をスムーズに切欠部１５内に収納することができる。
【００４１】
なお、上述の実施形態では、ストラップ部材の回動位置を、切欠部内に収納した状態と切欠部の壁部に当接した状態の２つの状態をとり得るとして説明してきたが、本発明はこれに限られるものではなく、ストラップ部材の軸部において角度により保持トルクの強さを変え、任意位置で止めることができるようにラッチ機構（図示せず）をつけてもよい。この例を図８に示す。
【００４２】
図８は、図３に示した携帯端末装置１や図７に示した携帯端末装置１０とは別の実施形態を示す側面図である。
【００４３】
図８に示すように、本実施形態では、携帯端末装置２０において、孔２６ａを有するストラップ部材２６の角度位置を任意位置で止めることができる。これにより、携帯端末装置２０を机上に立て置く際の角度を任意に変えることができ、ワンセグ等が見やすい状態に保持することができる。
【００４４】
また、ストラップ部材２６を切欠部内に収納した状態でのラッチ機構の荷重を上げておけば（ストラップ部材を、筐体よりも突出しない状態に固定する位置固定手段を備えておけば）、ストラップ部材２６の孔２６ａに取り付けたストラップ（図示せず）を引っ張ったときに安易にストラップ部材２６が回動してしまうのを防ぐこともできる。
【符号の説明】
【００４５】
１  携帯端末装置
２  筐体
２ａ  表面
２ｂ  裏面
２ｃ  表示部
２ｄ  操作部
３  電池カバー
４  アンテナ
５  切欠部
５ａ  壁部
６  ストラップ部材
６ａ  孔
６ｂ  軸部
【図１】
2011023921.tif 000003
【図２】
2011023921.tif 000004
【図３】
2011023921.tif 000005
【図４】
2011023921.tif 000006
【図５】
2011023921.tif 000007
【図６】
2011023921.tif 000008
【図７】
2011023921.tif 000009
【図８】
2011023921.tif 000010